(57)【要約】      （修正有）【課題】容器を開封せずとも情報カードを取り出すことのできる包装容器を提供する。【解決手段】複数の面から成る包装容器１０であって、包装容器１０の複数の面のうち少なくとも一面が開封部１２ａを有する開封面で、包装容器１０の複数の面のうち前記開封面と異なる面の少なくとも一面が外側片１１及び内側片１５から成る二重構造であり、外側片１１には内容物情報が印刷され、外側片１１の一部または全部が切除されるように、内容物情報Ｉの周囲に切除部を構成する。【選択図】図２
0003172099.tif 000002
【実用新案登録請求の範囲】
【請求項１】
複数の面から成る包装容器であって、
前記包装容器の複数の面のうち少なくとも一面が開封部を有する開封面で、
前記包装容器の複数の面のうち前記開封面と異なる面の少なくとも一面が外側片及び内側片から成る二重構造であり、
前記外側片には内容物情報が印刷され、
前記外側片の一部または全部が切除されるように、前記内容物情報の周囲に切除部が構成されることを特徴とする包装容器。
【請求項２】
前記切除部は、
前記外側片の一辺である基準辺に形成される開放部と、
前記基準辺と隣接する一辺の一部及び前記外側片の面内に形成される切断線と、
を有することを特徴とする請求項１に記載の包装容器。
【請求項３】
前記切除部は、
前記外側片の一辺である基準辺の一部及び前記基準辺に隣接する二辺の一部に形成される開放部と、
前記基準辺と対向する対向辺の全て及び前記外側片の面内に形成される切断線と、
によって形成されることを特徴とする請求項１に記載の包装容器。
【請求項４】
前記切除部は、
前記外側片の一辺である基準辺の一部及び前記基準辺に対向する対向辺の一部に形成される開放部と、
前記外側片の面内に形成される切断線と、
によって形成されることを特徴とする請求項１に記載の包装容器。
【請求項５】
前記切除部は、
前記外側片の一辺である基準辺の全部及び前記基準辺に隣接する二辺の全部に形成される開放部と、
前記外側片の基準辺と対向する対向辺の全部に形成される切断線と、によって形成され、
前記外側片と前記内側片とは部分的に接着される接着部によって仮止めされていることを特徴とする請求項１に記載の包装容器。
【請求項６】
前記切除部において、切除動作を開始する切除開始部には、外部方向に折り曲げ容易なタブが形成されることを特徴とする請求項１乃至請求項５のいずれか１項に記載される包装容器。
【考案の詳細な説明】
【技術分野】
【０００１】
本考案は、薬品等を収納する包装容器において、特に、情報カードを切取ることができる包装容器に関する。
【背景技術】
【０００２】
包装容器において、容器表面に薬品等の内容物の名称や特性の情報が表示されたものがある。そして、容器本体に表示された前記情報をそのまま利用するため、容器本体の一部を切除して情報カードとして利用可能に構成したものがある（例えば、特許文献１参照）。
【０００３】
特許文献１では、次のような技術が開示されている。即ち、端板延出部の切離し部と、基部、先端部との境目に２つの第１切取線、を形成し、第１切取線中、１本の破断により包装箱開封がなされ、２本の破断により包装箱開封及び切離し部の切り離しがなされ、同切離し部を情報カードとして利用可能である。
【先行技術文献】
【特許文献】
【０００４】
【特許文献１】実用新案登録第３１６７２７７号
【考案の概要】
【考案が解決しようとする課題】
【０００５】
しかしながら、特許文献１の構成では、情報カードを切り出すためには、情報カードの上下に位置する切取線で切断することが必要で、切取線を切断すると、容器の開封がなされてしまう。このため、容器を開封せずとも情報カードが取出せる構造が必要とされていた。
【０００６】
本考案の目的は、容器を開封せずとも情報カードを取り出すことのできる包装容器を提供することである。
【課題を解決するための手段】
【０００７】
上述の目的を達成するための第１構成は、複数の面から成る包装容器であって、前記包装容器の複数の面のうち少なくとも一面が開封部を有する開封面で、前記包装容器の複数の面のうち前記開封面と異なる面の少なくとも一面が外側片及び内側片から成る二重構造であり、前記外側片には内容物情報が印刷され、前記内側片に対して前記外側片の一部または全部が切除されるように、前記内容物情報の周囲に切除部が構成されることを特徴とする包装容器である。
【０００８】
第２構成は、前記切除部は、前記外側片の基準辺に形成される開放部と、前記基準辺と隣接する一辺の一部及び前記外側片の面内に形成される切断線と、を有することを特徴とする第１構成に記載の包装容器である。
【０００９】
第３構成は、前記切除部は、前記外側片の基準辺の一部及び前記基準辺に隣接する二辺の一部に形成される開放部と、前記基準辺と対向する対向辺の全て及び前記外側片の面内に形成される切断線と、によって形成されることを特徴とする第１構成に記載の包装容器である。
【００１０】
第４構成は、前記切除部は、前記外側片の基準辺の一部及び前記基準辺に対向する対向辺の一部に形成される開放部と、前記外側片の面内に形成される切断線と、によって形成されることを特徴とする第１構成に記載の包装容器である。
【００１１】
第５構成は、前記切除部は、前記外側片の基準辺の全部及び前記基準辺に隣接する二辺の全部に形成される開放部と、前記外側片の基準辺と対向する対向辺の全部に形成される切断線と、によって形成され、前記外側片と前記内側片とは部分的に接着される接着部によって仮止めされていることを特徴とする第１構成に記載の包装容器である。
【００１２】
第６構成は、前記切除部において、切取動作を開始する部分の切取開始部には、外部方向に折り曲げ容易なタブが形成されることを特徴とする第１構成乃至第５構成のいずれか１項に記載される包装容器である。
【考案の効果】
【００１３】
上述の構成によれば、容器を開封せずとも内容物情報が記載された情報カードを取り出すことができる。
【００１４】
また、切取開始部にタブを設けることで、情報カードの切除作業が更に容易になる。
【図面の簡単な説明】
【００１５】
【図１】第１実施形態に係る包装容器の使用状態を示す斜視図。
【図２】第１実施形態に係る包装容器の展開図。
【図３】第１実施形態に係る包装容器の製造過程を示す斜視図。
【図４】第２実施形態に係る包装容器の使用状態を示す斜視図。
【図５】第２実施形態に係る包装容器の展開図。
【図６】第２実施形態に係る包装容器の製造過程を示す斜視図。
【図７】第３実施形態に係る包装容器の使用状態を示す斜視図。
【図８】第３実施形態に係る包装容器の展開図。
【図９】第３実施形態に係る包装容器の製造過程を示す斜視図。
【図１０】第４実施形態に係る包装容器の使用状態を示す斜視図。
【図１１】第４実施形態に係る包装容器の展開図。
【図１２】第４実施形態に係る包装容器の製造過程を示す斜視図。
【考案を実施するための形態】
【００１６】
〔第１実施形態〕
図面を用いて第１実施形態の説明をする。図１は第１実施形態に係る包装容器の使用状態を示す斜視図である。図２は第１実施形態に係る包装容器の展開図である。
【００１７】
〔包装容器の外観〕
図１及び図２に示すように、内部に医薬品等を包装する箱状の包装容器１０は、複数の面にて内容物を包装する。複数の面は一体のブランク板に形成される。本実施形態においては、図２に示すように、外側片１１、左側面１２、背面１３、右側面１４、内側片１５が連続して形成され、これらの平面によって内容物の四隅を囲む。
【００１８】
ここで、左側面１２は、開封部１２ａ及び開封部１２ｂを有する開封面となっている。また、左側面１２と異なる面である正面（図１における外側片１１のある面）は、外側片１１及び内側片１５から成る二重構造となっている。外側片１１には、内容物の性質、使用方法、整理番号、バーコード等の内容物情報Ｉの印刷がなされる。
【００１９】
図２に示すように、右側面１４の上部に天面１６、右側面１４の下部に底面１７が連結される。これらの平面によって内容物の上下を覆う。
【００２０】
左側面１２の上下方向には補助タブ１２Ａが連結され、背面１３の上下方向には補助タブ１３Ａが連結され、内側片１５の上下方向には補助タブ１５Ａが連結される。これらの補助タブは、一般には内容物の保護や箱の形状保持の役割がある。本実施形態においては、補助タブ１２Ａが天面１６や底面１７を接着剤Ｇによって貼付するための被貼付部となる。
【００２１】
外側片１１には、内容物情報Ｉの印刷の周囲に切除部が形成される。当該切除部にて使用者が切除すると、図１（ｂ）に示すように、包装容器１０から独立した情報カード１１０が得られる。
【００２２】
〔包装容器の二重構造〕
本実施形態の包装容器１０の二重構造について、図３を用いて説明する。図３は第１実施形態に係る包装容器の製造過程を示す斜視図である。
【００２３】
図３（ａ）に示すように、外側片１１には折返片１８が連結される。折返片１８には接着剤Ｇが配されており、折返片１８を外側片１１との境界線で折って接着剤Ｇを内側片１５側に向ける。この状態で外側片１１と内側片１５を貼り合わせると、外側片１１と内側片１５との間に介在する折返片１８が、内側片１５の表面に貼り付けられる。これにより、外側片１１と内側片１５による二重構造が完成する。
【００２４】
〔情報カードの切除部〕
本実施形態において、情報カード１１０を包装容器１０から切除するための切除部は、次のような構成である。
【００２５】
まず、図３（ｂ）に示すように、外側片１１の一辺である基準辺１１ａは、開放部１１１となる。ここで、開放部とは、外側片１１が内側片１５に対して連結されておらず、且つ互いに貼付されていない結果、一体となってもいない部分である。また、基準辺１１ａと隣接する一辺である隣接辺１１ｂの一部に切断線１１２が形成され、外側片１１の面内には、内容物情報Ｉの周囲に切断線１１３が形成される。尚、切断線とは、断続的に包装容器１０の一面を切断して形成された線である。
【００２６】
このように、内容物情報Ｉの周囲にある切除部（開放部１１１、切断線１１２、切断線１１３）が構成されることによって、情報カード１１０を包装容器１０から切除することができる。
【００２７】
尚、情報カード１１０を包装容器１０から切除する際、切除動作を開始するための切除開始部は開放部１１１側にある。ここで、切除開始部には、外部方向に折り曲げ容易なタブＴが形成される。このように、情報カード１１０の切取開始部にタブＴを設けることで、情報カード１１０の切除作業が更に容易になる。
【００２８】
以上のように、左側面１２の開封部１２ａ及び開封部１２ｂを切断せずとも、左側面１２と異なる面にある外側片１１に印刷された内容物情報Ｉが記載された情報カード１１０を取り出すことができる。
【００２９】
〔第２実施形態〕
図面を用いて第２実施形態の説明をする。図４は第２実施形態に係る包装容器の使用状態を示す斜視図である。図５は第２実施形態に係る包装容器の展開図である。前述と同様の構成については説明を省略する。
【００３０】
〔包装容器の外観〕
図４及び図５に示すように、内部に医薬品等を包装する箱状の包装容器２０は、複数の面にて内容物を包装する。複数の面は一体のブランク板に形成される。本実施形態においては、図５に示すように、外側片２１、左側面２２、背面２３、右側面２４、内側片２５が連続して形成され、これらの平面によって内容物の四隅を囲む。
【００３１】
ここで、左側面２２は、開封部２２ａを有する開封面となっている。また、左側面２２と異なる面である正面（図４における外側片２１のある面）は、外側片２１及び内側片２５から成る二重構造となっている。外側片２１には、内容物の性質、使用方法、整理番号、バーコード等の内容物情報Ｉの印刷がなされる。
【００３２】
図５に示すように、右側面２４の上部に天面２６、左側面２２の下部に底面２７が連結される。これらの平面によって内容物の上下を覆う。
【００３３】
背面２３の上下方向には補助タブ２３Ａが連結され、右側面２４の下方向には補助タブ２４Ａが連結され、内側片２５の上下方向には補助タブ２５Ａが連結される。本実施形態においては、補助タブ２４Ａが底面２７を接着剤Ｇによって貼付するための被貼付部となる。また、天面２６には差込タブ２６Ａが連結され、開封後、差込タブ２６Ａを包装容器２０に差込むことで天面２６を保持する。
【００３４】
外側片２１には、内容物情報Ｉの印刷の周囲に切除部が形成される。当該切除部にて使用者が切除すると、図４（ｂ）に示すように、包装容器２０から独立した情報カード１２０が得られる。
【００３５】
〔包装容器の二重構造〕
本実施形態の包装容器２０の二重構造について、図６を用いて説明する。図６は第２実施形態に係る包装容器の製造過程を示す斜視図である。
【００３６】
図６（ａ）に示すように、内側片２５には折返片２８が連結される。折返片２８には接着剤Ｇが配されており、折返片２８を内側片２５との境界線で折って接着剤Ｇを左側面２２側に向け、内側片２５と左側面２２とが接着されることで一体となる。また、外側片２１の裏面の２箇所には接着剤Ｇが配されている。これにより、外側片２１と内側片２５を貼り合わせると、外側片２１と内側片２５による二重構造が完成する。
【００３７】
〔情報カードの切除部〕
本実施形態において、情報カード１２０を包装容器２０から切除するための切除部は、次のような構成である。
【００３８】
まず、図６（ｂ）に示すように、外側片２１の一辺である基準辺２１ａの一部である中央部分は、開放部１２１となる。また、基準辺２１ａに隣接する二辺（上辺２１ｂ、下辺２１ｃ）も開放部１２２及び開放部１２３となる。
【００３９】
一方、基準辺２１ａと対向する対向辺２１ｄの全てに切断線１２４（図５参照）が形成され、外側片２１の面内には切断線１２５が形成される。
【００４０】
このように、内容物情報Ｉの周囲にある切除部（開放部１２１、開放部１２２、開放部１２３、切断線１２４、切断線１２５）が構成されることによって、情報カード１２０を包装容器２０から切除することができる。
【００４１】
尚、情報カード１２０を包装容器２０から切除する際、切除動作を開始するための切除開始部は開放部１２１側にある。ここで、切除開始部には、外部方向に折り曲げ容易なタブＴが形成される。このように、情報カード１２０の切取開始部にタブＴを設けることで、情報カード１２０の切除作業が更に容易になる。
【００４２】
以上のように、左側面２２の開封部２２ａを切断せずとも、左側面２２と異なる面にある外側片２１に印刷された内容物情報Ｉが記載された情報カード１２０を取り出すことができる。
【００４３】
〔第３実施形態〕
図面を用いて第３実施形態の説明をする。図７は第３実施形態に係る包装容器の使用状態を示す斜視図である。図８は第３実施形態に係る包装容器の展開図である。前述と同様の構成については説明を省略する。
【００４４】
〔包装容器の外観〕
図７及び図８に示すように、内部に医薬品等を包装する箱状の包装容器３０は、複数の面にて内容物を包装する。複数の面は一体のブランク板に形成される。本実施形態においては、図８に示すように、外側片３１、左側面３２、背面３３、右側面３４、内側片３５が連続して形成され、これらの平面によって内容物の四隅を囲む。
【００４５】
ここで、左側面３２は、開封部３２ａを有する開封面となっている。また、左側面３２と異なる面である正面（図７における外側片３１のある面）は、外側片３１及び内側片３５から成る二重構造となっている。外側片３１には、内容物の性質、使用方法、整理番号、バーコード等の内容物情報Ｉの印刷がなされる。
【００４６】
図８に示すように、右側面３４の上部に天面３６、左側面３２の下部に底面３７が連結される。これらの平面によって内容物の上下を覆う。
【００４７】
背面３３の上下方向には補助タブ３３Ａが連結され、右側面３４の下方向には補助タブ３４Ａが連結され、内側片３５の上下方向には補助タブ３５Ａが連結される。本実施形態においては、補助タブ３４Ａが底面３７を接着剤Ｇによって貼付するための被貼付部となる。また、天面３６には差込タブ３６Ａが連結され、開封後、差込タブ３６Ａを包装容器３０に差込むことで天面３６を保持する。
【００４８】
外側片３１には、内容物情報Ｉの印刷の周囲に切除部が形成される。当該切除部にて使用者が切除すると、図７（ｂ）に示すように、包装容器３０から独立した情報カード１３０が得られる。
【００４９】
〔包装容器の二重構造〕
本実施形態の包装容器３０の二重構造について、図９を用いて説明する。図９は第３実施形態に係る包装容器の製造過程を示す斜視図である。
【００５０】
図９（ａ）に示すように、内側片３５には折返片３８が連結される。折返片３８には接着剤Ｇが配されており、折返片３８を内側片３５との境界線で折って接着剤Ｇを左側面３２側に向け、内側片３５と左側面３２とが接着されることで一体となる。また、外側片３１の裏面の左右側端部の２箇所には接着剤Ｇが配されている。これにより、外側片３１と内側片３５を貼り合わせると、外側片３１と内側片３５による二重構造が完成する。
【００５１】
〔情報カードの切除部〕
本実施形態において、情報カード１３０を包装容器３０から切除するための切除部は、次のような構成である。
【００５２】
まず、図９（ｂ）に示すように、外側片３１の一辺である基準辺３１ａの一部である中央部分は、開放部１３１となる。また、基準辺３１ａに対向する対向辺３１ｂの一部である中央部分も開放部１３２となる。一方、外側片３１の面内には上下にわたる２本の切断線１３３が形成される。
【００５３】
このように、内容物情報Ｉの周囲にある切除部（開放部１３１、開放部１３２、切断線１３３）が構成されることによって、情報カード１３０を包装容器３０から切除することができる。
【００５４】
尚、情報カード１３０を包装容器３０から切除する際、切除動作を開始するための切除開始部は開放部１３１側にある。ここで、切除開始部には、外部方向に折り曲げ容易なタブＴが形成される。このように、情報カード１３０の切取開始部にタブＴを設けることで、情報カード１３０の切除作業が更に容易になる。
【００５５】
以上のように、左側面３２の開封部３２ａを切断せずとも、左側面３２と異なる面にある外側片３１に印刷された内容物情報Ｉが記載された情報カード１３０を取り出すことができる。
【００５６】
〔第４実施形態〕
図面を用いて第４実施形態の説明をする。図１０は第４実施形態に係る包装容器の使用状態を示す斜視図である。図１１は第４実施形態に係る包装容器の展開図である。前述と同様の構成については説明を省略する。
【００５７】
〔包装容器の外観〕
図１０及び図１１に示すように、内部に医薬品等を包装する箱状の包装容器４０は、複数の面にて内容物を包装する。複数の面は一体のブランク板に形成される。本実施形態においては、図１１に示すように、外側片４１、左側面４２、背面４３、右側面４４、内側片４５が連続して形成され、これらの平面によって内容物の四隅を囲む。
【００５８】
ここで、左側面４２は、開封部４２ａを有する開封面となっている。また、左側面４２と異なる面である正面（図１０における外側片４１のある面）は、外側片４１及び内側片４５から成る二重構造となっている。外側片４１には、内容物の性質、使用方法、整理番号、バーコード等の内容物情報Ｉの印刷がなされる。
【００５９】
図１１に示すように、右側面４４の上部に天面４６、左側面４２の下部に底面４７が連結される。これらの平面によって内容物の上下を覆う。
【００６０】
背面４３の上下方向には補助タブ４３Ａが連結され、右側面４４の下方向には補助タブ４４Ａが連結され、内側片４５の上下方向には補助タブ４５Ａが連結される。本実施形態においては、補助タブ４４Ａが底面４７を接着剤Ｇによって貼付するための被貼付部となる。また、天面４６には差込タブ４６Ａが連結され、開封後、差込タブ４６Ａを包装容器４０に差込むことで天面４６を保持する。
【００６１】
外側片４１には、内容物情報Ｉの印刷の周囲に切除部が形成される。当該切除部にて使用者が切除すると、図１０（ｂ）に示すように、包装容器４０から独立した情報カード１４０が得られる。
【００６２】
〔包装容器の二重構造〕
本実施形態の包装容器４０の二重構造について、図１２を用いて説明する。図１２は第４実施形態に係る包装容器の製造過程を示す斜視図である。
【００６３】
図１２（ａ）に示すように、内側片４５には折返片４８が連結される。折返片４８には接着剤Ｇが配されており、折返片４８を内側片４５との境界線で折って接着剤Ｇを左側面４２側に向け、内側片４５と左側面４２とが接着されることで一体となる。また、内側片４５の表面の面内には、部分的に接着剤Ｇが配されている接着部４５ａがある。これにより、外側片４１と内側片４５を貼り合わせると、外側片４１と内側片４５が仮止めされて二重構造が完成する。
【００６４】
〔情報カードの切除部〕
本実施形態において、情報カード１４０を包装容器４０から切除するための切除部は、次のような構成である。
【００６５】
まず、図１２（ｂ）に示すように、外側片４１の一辺である基準辺４１ａの全部は、開放部１４１となる。また、基準辺３１ａに隣接する二辺である上辺４１ｂの全部も開放部１４２で、下辺４１ｃの全部も開放部１４３となる。一方、外側片４１の基準辺４１ａの対向する対向辺４１ｄの全部には切断線１４４が形成される。
【００６６】
このように、内容物情報Ｉの周囲にある切除部（開放部１４１、開放部１４２、開放部１４３、切断線１４４）が構成されることによって、仮止めされている情報カード１４０を、包装容器４０から切除することができる。本実施形態の場合、外側片４１全体が情報カード１４０となる。
【００６７】
尚、情報カード１４０を包装容器４０から切除する際、切除動作を開始するための切除開始部は開放部１４１と開放部１４２の交差する角部にある。ここで、切除開始部には、外部方向に折り曲げ容易なタブＴが形成される。このように、情報カード１４０の切取開始部にタブＴを設けることで、情報カード１４０の切除作業が更に容易になる。
【００６８】
以上のように、左側面４２の開封部４２ａを切断せずとも、左側面４２と異なる面にある外側片４１に印刷された内容物情報Ｉが記載された情報カード１４０を取り出すことができる。
【産業上の利用可能性】
【００６９】
本考案は、薬品等を収納する包装容器において、特に、情報カードを切取ることができる包装容器に利用することができる。
【符号の説明】
【００７０】
Ｇ…接着部、Ｉ…内容物情報、Ｐ…印刷、Ｔ…タブ、１０…包装容器、１１…外側片、１１ａ…基準辺、１１ｂ…隣接辺、１２…左側面、１２Ａ…補助タブ、１２ａ…開封部、１２ｂ…開封部、１３…背面、１３Ａ…補助タブ、１４…右側面、１５…内側片、１５Ａ…補助タブ、１６…天面、１７…底面、１８…折返片、２０…包装容器、２１…外側片、２１ａ…基準辺、２１ｂ…上辺、２１ｃ…下辺、２１ｄ…対向辺、２２…左側面、２２ａ…開封部、２３…背面、２３Ａ…補助タブ、２４…右側面、２４Ａ…補助タブ、２５…内側片、２５Ａ…補助タブ、２６…天面、２６Ａ…差込タブ、２７…底面、３０…包装容器、３１…外側片、３１ａ…基準辺、３１ｂ…右辺、３１ｃ…左辺、３２…左側面、３２ａ…開封部、３３…背面、３３Ａ…補助タブ、３４…右側面、３４Ａ…補助タブ、３５…内側片、３５Ａ…補助タブ、３６…天面、３６Ａ…差込タブ、３７…底面、３８…折返片、４０…包装容器、４１…外側片、４１ａ…基準辺、４１ｂ…上辺、４１ｃ…下辺、４１ｄ…対向辺、４２…左側面、４２ａ…開封部、４３…背面、４３Ａ…補助タブ、４４…右側面、４４Ａ…補助タブ、４５…内側片、４５Ａ…補助タブ、４５ａ…接着部、４６…天面、４６Ａ…差込タブ、４７…底面、４８…折返片、１１０…情報カード、１１１…開放部、１１２…切断線、１１３…切断線、１２０…情報カード、１２１…開放部、１２２…開放部、１２３…開放部、１２４…切断線、１２５…切断線、１３０…情報カード、１３１…開放部、１３２…開放部、１３３…切断線、１４０…情報カード、１４１…開放部、１４２…開放部、１４３…開放部、１４４…切断線
【図１】
0003172099.tif 000003
【図２】
0003172099.tif 000004
【図３】
0003172099.tif 000005
【図４】
0003172099.tif 000006
【図５】
0003172099.tif 000007
【図６】
0003172099.tif 000008
【図７】
0003172099.tif 000009
【図８】
0003172099.tif 000010
【図９】
0003172099.tif 000011
【図１０】
0003172099.tif 000012
【図１１】
0003172099.tif 000013
【図１２】
0003172099.tif 000014